(57)【要約】【課題】  実験室用機器において生じる振動をなくし、実験室用機器の静かな状態を可能にする。【解決手段】  駆動装置により駆動されかつ運転の際不平衡を生じる作業装置を有する実験室用機器において、作業装置の駆動装置と実験室用機器の接床面との間に、接床面に対して平行に延びる水平な面における運動のみを許す少なくとも１つの滑り装置（３７）が挿入されている。【選択図】  図２
2005061623.tif 000002
【特許請求の範囲】
【請求項１】
駆動装置により駆動されかつ運転の際不平衡を生じる作業装置を有する実験室用機器において、作業装置の駆動装置と実験室用機器の接床面との間に、接床面に対して平行に延びる水平な面における運動のみを許す少なくとも１つの滑り装置（３７）が挿入されていることを特徴とする、実験室用機器。
【請求項２】
実験室用機器のハウジング（１０）内に可動に設けられる板（２９）上に駆動装置が取付けられ、板（２９）と支持を行うハウジング部分との間に少なくとも１つの滑り装置（３７）が設けられていることを特徴とする、請求項１に記載の実験室用機器。
【請求項３】
実験室用機器のハウジングが個々の起立脚により接床面上に立っているものにおいて、ハウジング（１０）の起立脚（３０）の各々に滑り装置（３７）が統合されていることを特徴とする、請求項１に記載の実験室用機器。
【請求項４】
滑り装置が、起立脚（３０）のケース（３１）内で水平に可動に設けられかつケース（３１）に保持される滑り板（３７）から成っていることを特徴とする、請求項１〜３の１つに記載の実験室用機器。
【請求項５】
滑り板（３７）をケース（３１）に保持するため、滑り板（３７）とケース（３１）との間に、弾性材料から成る保持素子（３８）が設けられ、ケース（３１）及び滑り板（３７）とそれぞれ固定的に結合されていることを特徴とする、請求項４に記載の実験室用機器。
【請求項６】
保持素子（３８）が初応力により滑り板（３７）をケース（３１）に固定していることを特徴とする、請求項５に記載の実験室用機器。
【請求項７】
保持素子（３８）が側方偏位可能に棒状に構成されていることを特徴とする、請求項５又は６に記載の実験室用機器。
【請求項８】
ケース（３１）が保持素子（３８）の受入れ用中心凹所（３３）を持つ鉢状に構成され、ケース（３１）の側壁（３４）が、滑り板（３７）に近い方の上部範囲に、滑り板（３７）を支持する滑り素子（３６，４５）用の受入れ部（３５）を備えていることを特徴とする、請求項４〜７の１つに記載の実験室用機器。
【請求項９】
滑り素子がケース（３１）の受入れ部（３５）に設けられる支持球（３６）から成り、滑り板（３７）がケース（３１）に支持球（３６）により支持されていることを特徴とする、請求項８に記載の実験室用機器。
【請求項１０】
滑り素子がケース（３１）の受入れ部（３５）に設けられる環状の滑り円板（４５）から成っていることを特徴とする、請求項８に記載の実験室用機器。
【請求項１１】
滑り円板（４５）がポリ四弗化エチレンから成っていることを特徴とする、請求項１０に記載の実験室用機器。
【請求項１２】
実験室用機器が、遊星ミルとして構成されて、中心軸線（１３）の周りに回転可能に支持される担体装置（１２）と、遊星軸線（４０）の周りに回転可能に担体装置（１２）に設けられかつ担体装置（１２）により連行される粉砕バケット受入れ部（１５）と、この粉砕バケット受入れ部に挿入されて粉砕体を含む少なくとも１つのバケット（２０）を持ち、担体装置（１２）及び粉砕バケット受入れ部（１５）が少なくとも１つの駆動装置（５０，５１）により駆動され、担体装置（１２）に調節可能な質量平衡装置（２６）が付属していることを特徴とする実験室用機器。
【請求項１３】
円板振動ミルとして構成されている、請求項１〜１１の１つに記載の実験室用機器。
【請求項１４】
遠心機として構成されている、請求項１〜１１の１つに記載の実験室用機器。
【発明の詳細な説明】
【技術分野】
【０００１】  本発明は、駆動装置により駆動されかつ運転の際不平衡を生じる作業装置を有する実験室用機器に関する。
【背景技術】
【０００２】  特に実験室規模で試料を処理する際、このような実験室用機器を使用することができ、その例として、ドイツ連邦共和国特許出願公開第１９７１２９０５号明細書に記載されているような遊星ミルがあげられる。従ってこのような実験室用機器において生じる問題及びこの問題の解決のために利用される発明が、遊星ミルの実施例により示されている。【０００３】  このような遊星ミルの構造は、中心軸線の周りに回転可能に支持される担体装置と、遊星軸線の周りに回転可能に担体装置に設けられかつ担体装置により連行される粉砕バケット受入れ部と、この粉砕バケット受入れ部に挿入されて粉砕体を含む少なくとも１つの粉砕バケットとを持ち、担体装置及び粉砕バケット受入れ部が少なくとも１つの駆動装置により駆動され、担体装置に調節可能な質量平衡装置が付属している。【０００４】  ドイツ連邦共和国特許出願公開第１９７１２９０５号明細書に記載されているこのような遊星ミルでは、円滑な回転を行うため、釣合いおもりを持つ質量平衡装置が既に設けられ、例えば異なる大きさの粉砕バケットの使用に伴う異なる慣性力を補償できるようにするため、釣合いおもりがレールに沿って変位可能である。この明細書には、異なる大きさの粉砕バケットにおいて重心の高さ位置の変化に応じて、質量平衡装置の重心点の高さ位置の適合も可能にすることが指摘されている。この手段により、公知の遊星ミルの中間回転数範囲では、原則的に充分な質量平衡が可能である。【０００５】  しかし粉砕体を収容する遊星ミルでは、同様に回転する担体装置に対して粉砕バケットの逆の回転運動により、粉砕バケット内の粉砕体が、まず粉砕パケットに作用する遠心力により、粉砕バケット壁から粉砕バケット回転方向へ連行され、粉砕体と粉砕バケット壁との間に回転速度差を生じるので、適当な強さの摩擦がその間にある粉砕物粒子へ及ぼされる。引続く回転運動の際粉砕体へ作用するコリオリ力のため、粉砕体が粉砕バケット壁から離れる。粉砕体は粉砕バケットを通って動き、対向する粉砕バケット壁の範囲における著しい衝撃エネルギにより、粉砕物へ当たる。従って粉砕体の特に大きい衝撃エネルギ及び／又は大きい直径の場合、粉砕バケットにおける粉砕体質量分布の連続的に変化する不均一が生じ、特に公知の質量平衡装置を持つ最近の大出力ミルの現在普通の高い回転数では、この不均一はもはや制御できない。【０００６】  この不均一は、特に卓上テーブル形式として構成される遊星ミルでは不利に作用する。卓は、その垂直に付加される脚及びその卓板上に設置される遊星ミルと共に、ばね−質量系を形成し、生じる自由慣性力により、ミルの回転数に応じて、固有振動数で著しい振動を生じる。従って生じる実験卓振動により、卓上の隣接する実験室用機器がその機能を損なわれるか、又は卓板の表面状態に応じて遊星ミル全体が卓上で自動的に動くことがある。ミルのこの運動は、特にこのようなミルが予め選択可能な始動時点で自動的に監視なしに始動することがあることを考慮する時、安全上の著しい危険を含んでいる。
【発明の開示】
【発明が解決しようとする課題】
【０００７】  従って本発明の基礎になっている課題は、最初にあげた特徴を持つ実験室用機器において生じる振動をなくし、実験室用機器の静かな状態を可能にすることである。
【課題を解決するための手段】
【０００８】  この課題の解決策は、発明の有利な構成及び展開を含めて、特許請求の範囲の内容から明らかになる。【０００９】  本発明の基本思想によれば、作業装置の駆動装置と実験室用機器の接床面との間に、接床面に対して平行に延びる水平な面における運動のみを許す少なくとも１つの滑り装置が挿入されている。従って本発明の思想は、実験室用機器を設置する際水平な滑り運動のみを許すことに向けられている。なぜならば、例えば垂直方向にも弾性のある素子を設けると、新しいばね−質量系を生じ、この新しいばね−質量系が上述した欠点を除去せず、しかも増大するからである。本発明による実験室用機器は、挿入される滑り装置のため、水平面において自動的に可動なので、実験室用機器の振動を生じ、この円振動の半径は、例えば実施例としてあげた遊星ミルにおいて、不平衡質量の有効半径に不平衡質量と機械質量との比を掛け算したものに比例している。機械質量は、平衡質量の不精確な調節の場合不平衡質量がとる値より著しく大きいので、遊星ミルの小さい振動運動しか生じず、その際ミルから卓へ及ぼされる力はほぼ零に等しいか、又は生じる摩擦力の程度である。【００１０】  本発明の実施例によれば、実験室用機器のハウジング内に可動に設けられる板上に駆動装置が取付けられ、板と支持を行うハウジング部分との間に少なくとも１つの滑り装置が設けられ、従って不平衡質量により生じる力の吸収は、既に実験室用機器のハウジング内で行われる。【００１１】  その代わりに、ハウジングの起立脚の各々に滑り装置が統合されているようにすることができ、この場合ハウジングの起立脚は、不平衡力をそれぞれ吸収するために設けられている。【００１２】  その際滑り装置が、起立脚のケース内で水平に可動に設けられかつケースに保持される滑り板から成っているようにすることができる。それに応じて滑り板は、駆動装置を保持する板であるか、又はハウジングの起立脚の範囲にあるケース底の担体として構成されているようにすることができる。【００１３】  滑り装置が起立脚に形成されている場合、滑り板をケースに保持するため、滑り板とケースとの間に、弾性材料から成る保持素子が設けられ、ケース及び滑り板とそれぞれ固定的に結合されている。この場合保持素子が初応力により滑り板をケースに固定しているので、起立脚の個々の部分は滑り装置に結合されている。【００１４】  本発明の実施例によれば、保持素子が側方偏位可能に棒状に構成されている。【００１５】  滑り装置を構成するため本発明の実施例によれば、ケースが保持素子の受入れ用中心凹所を持つ鉢状に構成され、ケースの側壁が、滑り板に近い方の上部範囲に、滑り板を支持する滑り素子用の受入れ部を備えている。【００１６】  その際第１の実施例では、滑り素子がケースの受入れ部に設けられる支持球から成り、滑り板がケースに支持球により支持されている。【００１７】  その代わりに、滑り素子がケースの受入れ部に設けられる環状の滑り円板から成っているようにすることができ、その際滑り円板はポリ四弗化エチレンから成ることができる。【００１８】  本発明の実施例によれば、滑り板が、ケースに向いた下側に、受入れ部分へ突出して保持素子を包囲する突起を持��、突起の外周に、ケースに対する滑り板の水平滑り運動を限定するストッパ環が設けられている。【００１９】  実施例によれば、本発明が特に適当なやり方で遊星ミルに適用され、遊星ミルが少なくとも１つの駆動装置により駆動され、担体装置に調節可能な質量平衡装置が付属している。【００２０】  しかし同じように、本発明により設けられる実験室用機器が円板振動ミル又は遠心機として構成されるようにすることができるけれども、本発明の思想は前記の実験室用機器に限定されず、本発明の思想を適用して別の実験室用機器も備えることができる。【００２１】  図面には、実験室用機器としての遊星ミルへの適用において、本発明の実施例が示されており、以下に説明される。
【発明を実施するための最良の形態】
【００２２】  遊星ミルのハウジング１０は操作部分１１を持ち、この操作部分１１に続く範囲に担体装置１２が設けられて、中心軸線１３を包囲している。担体装置１２は、同様に中心軸線１３に回転可能に支持される駆動円板５０により回転せしめられ、この駆動円板５０は、その周囲に係合するＶベルト５１を介して、ハウジングの底板２９に取付けられているが図１には見えない駆動電動機により駆動可能である。【００２３】  中心軸線１３に対し偏心して、担体装置１２上で遊星軸線４０の周りに付属する変速装置１４を介して駆動円板５０により駆動される回転可能な粉砕バケット受入れ部１５が設けられて、粉砕バケット２０を受入れるため特別に形成された底範囲１６を持ち、この底範囲１６は、比較的小さい直径を持つ内側直径範囲１７と、比較的大きい直径を持つ外側直径範囲１８とを持ち、両方の直径範囲１７，１８の間に円錐状支持面１９が設けられている。【００２４】  図示した実施例では、粉砕バケット２０は粉砕バケット受入れ部１５の底範囲１６の形状に合わされた底を持っているのが、粉砕バケット２０は粉砕バケット受入れ部１５へはまり合いで挿入され、受入れられている。【００２５】  粉砕バケット２０を固定する締付け装置は、弓形片２３を通って延びる固定ねじ軸２２を含み、この固定ねじ軸２２が粉砕バケット２０の蓋２１を押している。弓形片２３の側方腕が粉砕バケット保持片２４の切欠き２５へはまり、この保持片２４が締付け装置の支持体を形成している。固定ねじ２２を締めることにより、粉砕バケット２０が粉砕バケット受入れ部１５内で締付けられる。【００２６】  中心軸線１３に関して反射側に、案内体２７に沿って移動可能に案内される釣合いおもり２８から成る質量平衡装置２６が設けられている。案内体２７は、釣合いおもり２８を案内するレールとして、担体装置１２の回転面に対し角をなして、中心軸線１３から外方へ上昇するように設けられて、釣合いおもり２８の移動の際、担体装置１２の回転面と釣合いおもり２８の重心点との間隔が変化するようになっている。【００２７】  図２及び３からわかるように、遊星ミルのハウジング１０の図１に３０で示す起立脚に、適当な滑り装置が統合されている。このため起立脚３０は、ハウジング１０用接床面上に載る支持部分３２に支持されている。ケース３１は、中心凹所３３を持つ鉢状であり、ケース３１の側壁３４の上部範囲において、側壁３４が適当な滑り素子を受入れるＵ字状受入れ部３５を形成し、図２に示す例では、滑り素子が支持球３６から成っている。支持球３６上に滑り板３７が支持され、図１では適当なやり方でハウジング１１の底板２９に結合されている。ハウジング１０の底板２９が、複数の起立脚３０の構成部分として複数のこのような滑り板３７上に載っていることは明らかである。【００２８】  ケース３１に滑り板３７を保持するため、凹所３３において滑り板３７とケース３１との間に、弾性材料例えばゴムから成る保持素子３８が設けられ、締付け部３９を介してケース３１の底に、また締付け部４１を介して滑り板３７に、それぞれ固定的に結合されている。保持素子３８とケース３１及び滑り板３７との固定的結合のため、摩擦なしの機能を保証するた���、これらの部分を特定の初応力により互いに固定することが可能である。従って保持素子３８は、ケース３１に対する滑り板３７の側方偏位の際中心位置への特定の戻し力を生じるため、ばね弾性材料から構成されている。ばね−質量力が生じる場合、これを無視することができる。【００２９】  滑り板３７は、その下側に形成される突起４２により保持素子３８を包囲し、それにより付加的な安定性を与える。突起４２の外周には例えばポリ四弗化エチレンから成るストッパ環４３が設けられて、ケース３１に対する滑り板３７の側方移動を限定する。本発明によれば、現在普通のミル構成では、約１〜３ｍｍの側方移動で充分である。【００３０】  図３に示す実施例は、図２に示す実施例とは、大体において、受入れ部３５に、図２に示す支持球３６とは異なり、ポリ弗化エチレンから成る滑り円板４５が挿入され、その上に滑り板３７が支持されているという点で、相違している。【００３１】  特許請求の範囲、前記の説明及び図面に開示されたこの書類の対象は、個々でもその任意の組合せでも、種々の実施形態で発明を実現するために重要である。
【図面の簡単な説明】
【００３２】
【図１】  遊星ミルを一部切断した側面図で示す。
【図２】  滑り装置を備えたハウジング起立脚を切断した側面図で示す。
【図３】  ハウジング起立脚の別の実施例を示す。
【符号の説明】
【００３３】１０    ハウジング
３７    滑り装置（滑り板）
【図１】
2005061623.tif 000003
【図２】
2005061623.tif 000004
【図３】
2005061623.tif 000005